(57)【要約】【課題】データドライバ等の消費電力の低減等を図る。【解決手段】３軸の加速度センサ１４により平面ディスプレイ装置１０の３軸方向の加速度が測定され、温度センサ１２により筐体内の温度が測定される。ＭＰＵ１６は、装置１０の鉛直方向と直角な２方向の傾きを算出し、設置向きを判定する。設置向き毎にファン２４の回転有りと無しとにおける温度の差分を得てその差分としきい値との大小を判定し、その結果に応じてファン２４の回転制御、表示部２６の輝度制御及びスピーカの音量制御を行う。【選択図】図１
2008251738.tif 000002
【特許請求の範囲】
【請求項１】
筐体内に排熱装置を装備する電気装置であって、
前記電気装置が設置されたときの前記電気装置の所定方向に対する少なくとも２方向の傾きデータを出力する傾きデータ出力手段と、
前記傾きデータ出力手段から出力される前記少なくとも２方向の傾きデータに基づいて前記排熱装置の排熱制御を行う制御手段とを備えることを特徴とする電気装置。
【請求項２】
電気装置の筐体内に発熱部及び排熱装置を装備すると共に、前記発熱部の発熱能力の増減を制御する発熱制御手段及び前記排熱装置の排熱能力の増減を制御する排熱制御手段を装備する電気装置であって、
前記筐体内の温度を測定する温度測定手段と、
前記発熱制御手段を制御して前記発熱部の発熱能力を前記第１の発熱レベルへ設定し、かつ、前記排熱制御手段を制御して前記排熱装置の排熱能力を前記第１の排熱レベルに設定したときに前記温度測定手段で測定される第１の温度値と、前記発熱制御手段を制御して前記発熱部の発熱能力を前記第２の発熱レベルへ設定し、かつ、前記排熱制御手段を制御して前記排熱装置の排熱能力を前記第２の排熱レベルに設定したときに前記温度測定手段で測定される第２の温度値との所定の関係とに基づいて前記排熱装置の排熱制御を行う制御手段とを備えることを特徴とする電気装置。
【請求項３】
前記電気装置が設置されたときの前記電気装置の所定方向に対する少なくとも２方向の傾きデータを出力する傾きデータ出力手段を備え、
前記制御手段は、
前記傾きデータ出力手段から出力される前記少なくとも２方向の傾きデータと、
前記発熱制御手段を制御して前記発熱部の発熱能力を第１の発熱レベルへ設定し、かつ、前記排熱制御手段を制御して前記排熱装置の排熱能力を第１の排熱レベルに設定したときに前記温度測定手段で測定される第１の温度値と、前記発熱制御手段を制御して前記発熱部の発熱能力を第２の発熱レベルへ設定し、かつ、前記排熱制御手段を制御して前記排熱装置の排熱能力を第２の排熱レベルに設定したときに前記温度測定手段で測定される第２の温度値との所定の関係と、
に基づいて前記排熱装置の排熱制御を行うように構成されることを特徴とする請求項２記載の電気装置。
【請求項４】
前記所定の関係は、前記第１の温度値と前記第２の温度値との差分と、予め設定されるしきい値との大小関係であることを特徴とする請求項２又は３記載の電気装置。
【請求項５】
前記第１及び第２の発熱レベルは、前記電気装置の最大発熱レベルであり、前記第１の排熱レベルは、前記排熱装置の排熱能力の零レベルであり、前記第２の排熱レベルは、前記排熱能力の最大排熱レベルであることを特徴とする請求項２、３又は４記載の電気装置。
【請求項６】
前記傾きデータ出力手段は、３軸の加速度センサを有し、前記所定方向は鉛直方向で、前記２方向は、前記鉛直方向と直角な２方向であることを特徴とする請求項１乃至５のいずれか一に記載の電気装置。
【請求項７】
前記傾きデータ出力手段は、前記少なくとも２方向の傾きデータを入力する入力手段と、該入力手段から入力される傾きデータを記憶する記憶手段とからなり、前記制御手段は、前記記憶手段から傾きデータを読み出す読み出し手段を有し、該読み出し手段によって読み出された傾きデータに基づいて前記排熱装置の排熱制御を行うように構成されることを特徴とする請求項１乃至６のいずれか一に記載の電気装置。
【請求項８】
前記電気装置は表示装置であり、前記排熱装置は、前記表示装置の筐体に取り付けられた吸気ファン及び排気ファンであり、前記温度測定手段は、前記筐体内に取り付けられた温度センサであり、前記発熱制御手段は、前記電気装置の表示部の輝度及び又は放音部の音量を制御する手段であり、前記排熱制御手段は、前記吸気ファン及び前記排気ファンのファン制御手段であることを特徴とする請求項２乃至７のいずれか一に記載の電気装置。
【請求項９】
前記少なくとも２方向の傾きが、許容外であるとき、前記制御手段は、警報手段から警報を出力させることを特徴とする請求項１乃至８のいずれか一に記載の電気装置。
【請求項１０】
前記警報は、前記表示装置に表示されるアラーム表示であることを特徴とする請求項９記載の電気装置。
【請求項１１】
筐体内に排熱装置を装備する電気装置の前記筐体内の温度を制御する方法であって、
前記電気装置の所定方向に対する少なくとも２方向の傾きデータを出力し、
出力された前記少なくとも２方向の傾きデータに基づいて前記排熱装置の排熱制御を行うことを特徴とする電気装置の温度制御方法。
【請求項１２】
電気装置の発熱部の発熱能力を第１の発熱レベルへ設定し、かつ、前記電気装置の排熱装置の排熱能力を第１の排熱レベルに設定したときに測定される第１の温度値と、前記発熱部の発熱能力を第２の発熱レベルへ設定し、かつ、前記排熱装置の排熱能力を第２の排熱レベルに設定したときに測定される第２の温度値との所定の関係に基づいて前記排熱装置の排熱制御を行うことを特徴とする電気装置の温度制御方法。
【請求項１３】
前記電気装置の所定方向に対する少なくとも２方向の傾きデータを出力し、
出力された前記少なくとも２方向の傾きデータと前記所定の関係に基づいて前記排熱装置の排熱制御を行うことを特徴とする請求項１２記載の電気装置の温度制御方法。
【請求項１４】
前記所定の関係は、前記第１の温度値と前記第２の温度値との差分と、予め設定されるしきい値との大小関係であることを特徴とする請求項１２又は１３記載の電気装置の温度制御方法。
【請求項１５】
前記第１及び第２の発熱レベルは、前記電気装置の最大発熱レベルであり、前記第１の排熱レベルは、前記排熱装置の排熱能力の零レベルであり、前記第２の排熱レベルは、前記排熱能力の最大排熱レベルであることを特徴とする請求項１２、１３又は１４記載の電気装置の温度制御方法。
【請求項１６】
前記少なくとも２方向の傾きは、３軸の加速度センサの出力データに基づいて算出されることを特徴とする請求項１１乃至１５のいずれか一に記載の電気装置の温度制御方法。
【請求項１７】
前記少なくとも２方向の傾きの出力は、前記少なくとも２方向の傾きデータを入力し、入力される傾きデータを記憶手段に記憶して出力させることを特徴とする請求項１１乃至１６のいずれか一に記載の電気装置の温度制御方法。
【請求項１８】
前記電気装置は表示装置であり、前記排熱装置は、前記表示装置の筐体に取り付けられた吸気ファン及び排気ファンであり、前記発熱部の発熱能力の設定は、前記表示装置の輝度及び又は前記電気装置に装備の放音装置の音量を制御して行い、前記排熱装置の排熱能力の設定は、前記吸気ファン及び前記排気ファンの回転数を制御して行うことを特徴とする請求項１１乃至１７のいずれか一に記載の電気装置の温度制御方法。
【請求項１９】
前記少なくとも２方向の傾きが、許容外であるとき、警報を出力することを特徴とする請求項１２乃至１８のいずれか一に記載の電気装置の温度制御方法。
【請求項２０】
前記警報は、前記表示装置に表示されるアラーム表示であることを特徴とする請求項１９記載の電気装置の温度制御方法。
【請求項２１】
コンピュータに請求項１乃至１０のいずれか一に記載の電気装置を制御させることを特徴とする制御プログラム。
【請求項２２】
コンピュータに請求項１１乃至２０のいずれか一に記載の電気装置の温度制御方法を実行させることを特徴とする制御プログラム。
【請求項２３】
請求項２１又は２２に記載の制御プログラムを記録した記録媒体。
【発明の詳細な説明】
【技術分野】
【０００１】
この発明は、電気装置及びその温度制御方法に関し、詳しくは装置の鉛直方向乃至は所定方向に対して少なくとも２方向乃至は直角方向の傾きで設置されても温度制御を適正に行うのに有効な電気装置及びその温度制御方法に関する。
【背景技術】
【０００２】
電子機器にはその正常な動作を維持するために、電子機器の筐体内に排熱装置を装備したものが、従来から知られている。その例は、特許文献１や特許文献２に記載されている。
特許文献１には、排熱装置を装備した表示装置、具体的には比較的大型のプラズマディスプレイ装置が記載される。このプラズマディスプレイ装置には、その筐体内に角度検出器が配設されている。この角度検出器から出力される表示装置の設置角度に基づいて上部ファン及び側面ファンを制御して表示装置内の空気の自然対流の方向及び強さを変えることにより、設置角度に応じた適切な排熱を為し得ることが示されている。
そして、角度検出器は、二次元的な角度の検出であることが記載されている。
【０００３】
特許文献２には、プロジェクタの熱保護装置が記載されている。この熱保護装置は、傾きセンサ及び温度センサが設けられており、傾きセンサの出力からプロジェクタ機器の設置状態を判別すると共に、温度センサの出力からプロジェクタ筐体内の温度状態を判別し、温度状態に応じたファンコントロール部及び電源ユニツト部の制御に上記設置状態による制御を加味させ、これにより、プロジェクタ機器の熱保護処理及び信頼性の向上を達成し得ることが示されている。
【特許文献１】特開２０００−１３２１１２号公報
【特許文献２】特開２００１−２１９９９号公報
【発明の開示】
【発明が解決しようとする課題】
【０００４】
特許文献１のプラズマディスプレイ装置は、装置が設置された場合における表示面内で正常設置か、９０度回転させた設置、上下を逆にした設置等の二次元的な設置角度を角度検出器で検出し、その設置角度に応じて装置筐体内の温度制御を行うようにしているが、プラズマディスプレイ装置の表示画面内での傾きが同一であったとしても、表示画面前後方向に傾きがある場合とそうでない場合とでは、装置の重力に対する対流の向きが変わり、装置筐体内の温度分布が異なって来る。
この状態の検出ができないために、上記前後方向に傾きがあったとしても、表示画面内での傾きに基づく温度制御しか行い得ず、装置の冷却構造によっては最適な温度制御が行うことができなくなり、装置の正常な稼動を続行し得なくなる。
【０００５】
特許文献２に記載されるプロジェクタの熱保護装置においても、傾きセンサを使用してはいるものの、この傾きセンサも特許文献１に記載される角度検出器と同等な検出機能しか有しないので、特許文献１と同様の技術的課題が未解決のままにある。
また、温度制御は、温度センサから得られるプロジェクタの温度状態を加味してはいるが、その温度はプロジェクタの実際の稼動後の温度であり、実際の稼動に入る前にプロジェクタを試行的に稼動させたときの温度状態への配慮は、何らの示唆も示されていない。
【０００６】
この発明は、上述の事情に鑑みてなされたもので、装置の鉛直方向乃至は所定方向に対して少なくとも２方向乃至は直角な２つの方向の傾きで設置されても温度制御を適正に行うことができる電気装置及びその温度制御方法を提供することを目的としている。
【課題を解決するための手段】
【０００７】
上記課題を解決するために、請求項１記載の発明は、筐体内に排熱装置を装備する電気装置に係り、上記電気装置が設置されたときの上記電気装置の所定方向に対する少なくとも２方向の傾きデータを出力する傾きデータ出力手段と、上記傾きデータ出力手段から出力される上記少なくとも２方向の傾きデータに基づいて上記排熱装置の排熱制御を行う制御手段を備えることを特徴としている。
【０００８】
請求項２記載の発明は、電気装置の筐体内に発熱部及び排熱装置を装備すると共に、上記発熱部の発熱能力の増減を制御する発熱制御手段及び上記排熱装置の排熱能力の増減を制御する排熱制御手段を装備する電気装置に係り、上記筐体内の温度を測定する温度測定手段と、上記発熱制御手段を制御して上記発熱部の発熱能力を第１の発熱レベルへ設定し、かつ、上記排熱制御手段を制御して上記排熱装置の排熱能力を第１の排熱レベルに設定したときに上記温度測定手段で測定される第１の温度値と、上記発熱制御手段を制御して上記発熱部の発熱能力を第２の発熱レベルへ設定し、かつ、上記排熱制御手段を制御して上記排熱装置の排熱能力を第２の排熱レベルに設定したときに上記温度測定手段で測定される第２の温度値との所定の関係とに基づいて上記排熱装置の排熱制御を行う制御手段とを備えることを特徴としている。
【０００９】
請求項３記載の発明は、上記電気装置が設置されたときの上記電気装置の所定方向に対する少なくとも２方向の傾きデータを出力する傾きデータ出力手段を備え、上記制御手段は、上記傾きデータ出力手段から出力される上記少なくとも２方向の傾きデータと、上記発熱制御手段を制御して上記発熱部の発熱能力を第１の発熱レベルへ設定し、かつ、上記排熱制御手段を制御して上記排熱装置の排熱能力を第１の排熱レベルに設定したときに上記温度測定手段で測定される第１の温度値と、上記発熱制御手段を制御して上記発熱部の発熱能力を第２の発熱レベルへ設定し、かつ、上記排熱制御手段を制御して上記排熱装置の排熱能力を第２の排熱レベルに設定したときに上記温度測定手段で測定される第２の温度値との所定の関係とに基づいて上記排熱装置の排熱制御を行うように構成されることを特徴としている。
請求項２及び請求項３において、第１の発熱レベル、第１の排熱レベルは、それぞれ、発熱部を作動させない場合、排熱装置を駆動させない場合も含む。
【００１０】
請求項４記載の発明は、請求項２又は３記載の電気装置に係り、上記所定の関係は、上記第１の温度値と上記第２の温度値との差分と、予め設定されるしきい値との大小関係であることを特徴としている。
【００１１】
請求項５記載の発明は、請求項２、３又は４記載の電気装置に係り、上記第１及び第２の発熱レベルは、上記電気装置の最大発熱レベルであり、上記第１の排熱レベルは、上記排熱装置の排熱能力の零レベルであり、上記第２の排熱レベルは、上記排熱能力の最大排熱レベルであることを特徴としている。
【００１２】
請求項６記載の発明は、請求項１乃至５のいずれか一に記載の電気装置に係り、上記傾きデータ出力手段は、３軸の加速度センサを有し、上記所定方向は鉛直方向で、上記２方向は上記鉛直方向と直角な２方向であることを特徴としている。
【００１３】
請求項７記載の発明は、請求項１乃至６のいずれか一に記載の電気装置に係り、上記傾きデータ出力手段は、上記少なくとも２方向の傾きデータを入力する入力手段と、該入力手段から入力される傾きデータを記憶する記憶手段とからなり、上記制御手段は、上記記憶手段から傾きデータを読み出す読み出し手段を有し、該読み出し手段によって読み出された傾きデータに基づいて上記排熱装置の排熱制御を行うように構成されることを特徴としている。
【００１４】
請求項８記載の発明は、請求項２乃至７のいずれか一に記載の電気装置に係り、上記電気装置は表示装置であり、上記排熱装置は、上記表示装置の筐体に取り付けられた吸気ファン及び排気ファンであり、上記温度測定手段は、上記筐体内に取り付けられた温度センサであり、上記発熱制御手段は、上記電気装置の表示部の輝度及び又は放音部の音量を制御する手段であり、上記排熱制御手段は、上記吸気ファン及び上記排気ファンのファン制御手段であることを特徴としている。
【００１５】
請求項９記載の発明は、請求項１乃至８のいずれか一に記載の電気装置に係り、上記少なくとも２方向の傾きが、許容外であるとき、上記制御手段は、警報手段から警報を出力させることを特徴としている。
【００１６】
請求項１０記載の発明は、請求項９記載の電気装置に係り、上記警報は、上記表示装置に表示されるアラーム表示であることを特徴としている。
【００１７】
請求項１１記載の発明は、筐体内に排熱装置を装備する電気装置の上記筐体内の温度を制御する方法に係り、上記電気装置の所定方向に対する少なくとも２方向の傾きデータを出力し、出力された上記少なくとも２方向の傾きデータに基づいて上記排熱装置の排熱制御を行うことを特徴としている。
【００１８】
請求項１２記載の発明は、請求項１１記載の電気装置の温度制御方法に係り、上記筐体内の温度を測定し、出力された上記少なくとも２方向の傾きデータ及び測定された温度値に基づいて上記排熱装置の排熱制御を行うことを特徴としている。
【００１９】
請求項１３記載の発明は、請求項１２記載の電気装置の温度制御方法に係り、上記電気装置の発熱能力を第１の発熱レベルへ設定し、かつ、上記排熱装置の排熱能力を第１の排熱レベルに設定したときに測定される第１の温度値と、上記電気装置の発熱能力を第２の発熱レベルへ設定し、かつ、上記排熱装置の排熱能力を第２の排熱レベルに設定したときに測定される第２の温度値との所定の関係に基づいて上記排熱装置の排熱制御を行うことを特徴としている。
【００２０】
請求項１４記載の発明は、請求項１２又は１３記載の電気装置の温度制御方法に係り、上記所定の関係は、上記第１の温度値と上記第２の温度値との差分と、予め設定されるしきい値との大小関係であることを特徴としている。
【００２１】
請求項１５記載の発明は、請求項１２、１３又は１４記載の電気装置の温度制御方法に係り、上記第１及び第２の発熱レベルは、上記電気装置の最大発熱レベルであり、上記第１の排熱レベルは、上記排熱装置の排熱能力の零レベルであり、上記第２の排熱レベルは、上記排熱能力の最大排熱レベルであることを特徴としている。
【００２２】
請求項１６記載の発明は、請求項１１乃至１５のいずれか一に記載の電気装置の温度制御方法に係り、上記少なくとも２方向の傾きは、３軸の加速度センサの出力データに基づいて算出されることを特徴としている。
【００２３】
請求項１７記載の発明は、請求項１１乃至１６のいずれか一に記載の電気装置の温度制御方法に係り、上記少なくとも２方向の傾きの出力は、上記少なくとも２方向の傾きデータを入力し、入力される傾きデータを記憶手段に記憶して出力させることを特徴としている。
【００２４】
請求項１８記載の発明は、請求項１１乃至１７のいずれか一に記載の電気装置の温度制御方法に係り、上記電気装置は表示装置であり、上記排熱装置は、上記表示装置の筐体に取り付けられた吸気ファン及び排気ファンであり、上記電気装置の発熱能力の設定は、上記表示装置の輝度及び又は上記電気装置に装備の放音装置の音量を制御して行い、上記排熱装置の排熱能力の設定は、上記吸気ファン及び上記排気ファンの回転数を制御して行うことを特徴としている。
【００２５】
請求項１９記載の発明は、請求項１２乃至１８のいずれか一に記載の電気装置の温度制御方法に係り、上記少なくとも２方向の傾きが、許容外であるとき、警報を出力することを特徴としている。
【００２６】
請求項２０記載の発明は、請求項１９記載の電気装置の温度制御方法に係り、上記警報は、上記表示装置に表示されるアラーム表示であることを特徴としている。
【００２７】
請求項２１記載の発明は、電気装置の制御プログラムに係り、コンピュータに請求項１乃至１０のいずれか一に記載の電気装置を制御させることを特徴としている。
【００２８】
請求項２２記載の発明は、電気装置の温度制御方法の制御プログラムに係り、コンピュータに請求項１１乃至２０のいずれか一に記載の電気装置の温度制御方法を実行させることを特徴としている。
【００２９】
請求項２３記載の発明は、制御プログラムを記録した記録媒体に係り、請求項２１又は２２に記載の制御プログラムを記録したことを特徴とする。
【発明の効果】
【００３０】
この発明によれば、電気装置が設置されたときにその所定方向に対する少なくとも２方向の傾きデータを出力し、その少なくとも２方向の傾きに基づいて電気装置内の排熱装置の排熱制御を行うように構成しているので、装置が許容されている設置向きであるか否かを問わず、その設置状態での使用が許容されるか否かについて判断を提供することが可能になり、装置の信頼性の向上に寄与する。
また、電気装置がスピーカを有する表示装置であり、その排熱装置がファンで構成される場合に、２方向での傾きが許容範囲内であるときに、それらの傾きにおいて装置の温度上昇を防ぐようにファンの回転を制御し、表示部の輝度及びスピーカの音量を制御する際の、ファンの回転数増に伴う騒音、表示部の輝度低下及びスピーカの音量低下を最小限に抑えた最適な温度制御を行うことが可能になる。
【発明を実施するための最良の形態】
【００３１】
この発明は、電気装置が設置されたときに、その所定方向に対する少なくとも２方向の傾きデータを出力し、そしてその少なくとも２方向の傾きデータに基づいて電気装置内の排熱装置の排熱制御を行うようにして構成される。また、上記排熱制御に装置筐体内の温度をさらに加味して構成される。
【実施例１】
【００３２】
図１は、この発明の実施例１である平面ディスプレイ装置の電気的構成を示す図、図２は、同平面ディスプレイ装置の発明関連構成要素の筐体内の配置図、図３は、同平面ディスプレイ装置の動作処理フローの一部を示す図、図４は、同平面ディスプレイ装置の動作処理フローの残部を示す図、図５は、同平面ディスプレイ装置の設置状態の特定に必要な角度関係を示す図、図６は、図５に示す角度関係におけるＸ軸の傾きを示す図、図７は、図５に示す角度関係におけるＺ軸の傾きを示す図、図８は、上記平面ディスプレイ装置の標準設置図、図９は、同平面ディスプレイ装置の縦置き設置図、図１０は、同平面ディスプレイ装置の逆さ向き設置図、また、図１１は、同平面ディスプレイ装置の上向き設置図である。
【００３３】
この実施例の平面ディスプレイ装置（表示装置）１０は、装置の鉛直方向と直角な２方向の傾きがある状態で設置しても最適な温度制御等の機能を備える装置に係り、温度センサ１２と、ジャイロセンサ（３軸の加速度センサ）１４と、ＭＰＵ（マイクロプロセッサユニット）１６と、ファン制御部１８と、テスト信号発生部２０と、輝度制御部２２とを有して構成される。そして、ファン制御部１８は、平面ディスプレイ装置１０のファン２４に接続され、輝度制御部２２は、平面ディスプレイ装置１０の表示部２６に接続される。図１のファン２４は、平面ディスプレイ装置１０に設けられるファンを代表して示すもので、平面ディスプレイ装置１０には、図２に示すように、４個の吸気ファン２４−１、２４−４、２４−６、２４−７と、４個の排気ファン２４−２、２４−３、２４−５、２４−８とが設けられ、ファン制御部１８によって回転制御が行われる。また、図２において、図上方が画面側で、図下方が背面側である。
【００３４】
温度センサ１２は、平面ディスプレイ装置１０内に配置されており、その温度を測定する素子であり、その出力はＭＰＵ１６に接続されている。
ジャイロセンサ１４は、平面ディスプレイ装置１０の３軸方向の加速度値を測定する素子であり、その出力はＭＰＵ１６に接続されている。
【００３５】
ＭＰＵ１６は、上記３軸方向の加速度値に対する３次元内の傾きを予め登録しているルックアップテーブル（図示せず）１６Ｔを有し、ジャイロセンサ１４から送られて来る各加速度値でルックアップテーブル１６Ｔを参照して入力して来た各加速度値に対する傾きを推定し、この傾きに温度センサ１２から送られて来る温度値を考慮に入れたファン制御データ、ファン停止制御データ及び最大回転制御データをファン制御部１８に送る。
ファン制御データは、後述する差分がしきい値以上である場合に、その超えている程度に応じた回転制御、すなわち、差分がしきい値を大きく超えているときはファンの回転数を遅くさせ、差分がしきい値を僅かに超えているときはファンの回転数を速くさせる制御を行うデータである。しきい値は、後述する設置向き毎にＭＰＵ１６に予め登録される。また、ファン制御データは、図２に示す各ファンを一律に制御する形式のデータでもよい。
【００３６】
また、図２は、ファン２４−３、２４−４が平面ディスプレイ装置１０の最上部に位置するような設置態様の場合を示すが、この場合に自然対流を助長させるようにファン２４−３、２４−５、２４−１、２４−７を回転させるようなファン制御データをルックアップテーブル１６Ｔに予め登録する。
また、傾き及び温度によっては、ファン２４−３をファン２４−５よりも速く回転させ、ファン２４−７をファン２４−１よりも速く回転させるようなファン制御データをルックアップテーブル１６Ｔに予め登録する。
ファン制御部１８は、ＭＰＵ１６から供給されるファン制御データ対応のファンの回転制御をファン２４に与える制御部である。
【００３７】
また、ＭＰＵ１６は、画面全体を白色で表示させる表示制御データをテスト信号発生部２０に供給する。テスト信号発生部２０は、表示制御データに応じてテスト信号を表示部２６に供給してその画面に全白の表示を生じさせる。表示制御データは、予め、ＭＰＵ１６に保持される。また、ＭＰＵ１６は、上述の傾きと温度値に応じた輝度制御データを輝度制御部２２に供給する。輝度制御部２２は、輝度制御データ対応の表示状態で表示部２６を表示させる。輝度制御データは、ファン制御データと同様に、上述の傾きと温度値に応じて予め設定され、ルックアップテーブル１６Ｔに登録される。
【００３８】
また、図１には図示しないが、平面ディスプレイ装置の筐体内にスピーカが設けられている場合には、ＭＰＵ１６は、図１に示さない音量制御部に音量制御データを供給する。この音量制御データも、上述の傾きと温度値に応じて予め設定され、ルックアップテーブル１６Ｔに登録される。
【００３９】
これらの制御は、図３及び図４に示す処理フローを実行するプログラムによって行われるが、このプログラムは、ＭＰＵ１６内の記憶手段に記憶され、ＭＰＵ１６内の演算処理部によって記憶手段から読み出されて演算処理部で実行されることにより、図３に示す処理手順が遂行される。なお、図３と図４とは、結合子Ｉ、II、III、IV及びＶによって接続される。
【００４０】
次に、図１乃至図１１を参照して、この実施例の動作について説明する。
この実施例の説明の都合上、図１及び図２に示す平面ディスプレイ装置１０のＸ軸、Ｙ軸及びＺ軸を、それぞれ、図５に示すように画面１０Ｓの左右方向、上下方向（鉛直方向又は重力方向ともいう）及び前後方向とする。この図５においては、平面ディスプレイ装置１０の装置上部１０Ｔは、紙面上方となり、装置下部１０Ｂは、紙面下方となる。
そして、平面ディスプレイ装置１０のＸ軸からの傾きは、図５及び図６に示すように、∠Ｘで表し、この∠Ｘは、図６から明らかなように、９０°−∠Φとなる。また、Ｚ軸からの傾きは、図５及び図７に示すように、∠Ｚで表し、この∠Ｚは、図７から明らかなように、９０°−∠θとなる。
そして、平面ディスプレイ装置１０の設置において、許容される傾きは、｜∠Ｘ｜<５°で、また、０°≦∠Ｚ≦３０°であるとする。
【００４１】
このような条件が平面ディスプレイ装置１０に、予め、与えられ、その平面ディスプレイ装置１０が標準設置、縦置き設置、逆さ向き設置又は上向き設置のいずれかで設置され、その稼動に入るものとする。また、平面ディスプレイ装置１０には、そのＭＰＵ１６のメモリに予め、標準設置、縦置き設置、逆さ向き設置及び上向き設置対応に、後述する差分と比較するためのしきい値Ｃ、Ｆ、Ｉ及びＬが登録される。
その動作が開始されると、加速度センサ１４が、Ｘ軸、Ｙ軸及びＺ軸の加速度を測定する。これらの加速度値は、ＭＰＵ１６に送られる。ＭＰＵ１６は、Ｘ軸及びＹ軸の加速度値が重力加速度のｓｉｎ（∠Ｘ）、ｓｉｎ（∠Ｚ）なる関係にあることから、それぞれの加速度値のアークサインの演算を行って傾き∠Ｘ及び傾き∠Ｚを算出する（図３のＳ１）。
【００４２】
次いで、ＭＰＵ１６は、∠Ｚが０°≦∠Ｚ≦３０°なる範囲にあるか否かを判定する（図３のＳ２）。この０°≦∠Ｚ≦３０°という条件を満たすならば、標準設置、縦置き設置、逆さ向き設置の判定処理に進むが、満たさない場合には、上向き設置の判定処理に進む。
ステップＳ２の判定が肯定であるならば（図３のステップＳ２のｙｅｓ）、標準設置、縦置き設置又は逆さ向き設置のいずれの設置向きにあるかの判定を傾き∠Ｘの値により行う。
【００４３】
この判定の最初に、｜∠Ｘ｜<５°を満たしているか否かを判定する（図３のステップＳ３）。この判定が肯定であるならば（図３のステップＳ３のｙｅｓ）、装置は標準設置であると判定する（図８）。｜∠Ｘ｜<５°を満たしていないが（図３のステップＳ３のｎｏ）、８５°<｜∠Ｘ｜<９５°を満たすならば（図３のステップＳ３のｙｅｓ）、装置は縦向き設置であると判定する（図９）。８５°<｜∠Ｘ｜<９５°を満たしていないが（図３のステップＳ４のｎｏ）、１７５°<｜∠Ｘ｜≦１８０°を満たすならば（図３のステップＳ５のｙｅｓ）、装置は逆さ向き設置であると判定する（図１０）。
０°≦∠Ｚ≦３０°を満たしていないが（図３のステップＳ２のｎｏ）、｜∠Ｘ｜<５°を満たし（図３のステップＳ６のｙｅｓ）、かつ、−９５°<∠Ｚ<−８５°を満たしているならば（図３のステップＳ７のｙｅｓ）、装置は上向き設置であると判定する（図１１）。
【００４４】
１７５°<｜∠Ｘ｜≦１８０°を満たしていないときも（図３のステップＳ５のｎｏ）、また、｜∠Ｘ｜<５°を満たしていないときも（図３のステップＳ６のｎｏ）、また、−９５°<∠Ｚ<−８５°を満たしていないときも（図３のステップＳ７のｎｏ）、装置の設置状態は、その装置に許容されていない設置向きにあるとしてアラーム表示を行う（図４のステップＳ８）。
【００４５】
上記判定が上述したいずれの設置向きにある場合にも、ＭＰＵ１６は、装置の各ファンを停止した状態において、テスト信号発生部２０から全白信号（テスト信号）を表示部２６に供給させ、その画面から出画させる（図３のステップＳ３１、Ｓ４１、Ｓ５１、Ｓ７１）。この出画後の温度センサ１２の温度値をＭＰＵ１６のメモリに保持する（図３のステップＳ３２、Ｓ４２、Ｓ５２、Ｓ７２）。ステップＳ３２での温度値をＡとし、Ｓ４２での温度値をＤとし、Ｓ５２での温度値をＧとし、Ｓ７２での温度値をＪとする。
【００４６】
この測定後に、ＭＰＵ１６は、ファン２４を全速で回転させると共に、テスト信号発生部２０から全白信号を表示部２６に供給させ、その画面から出画させる（図３のステップＳ３３、Ｓ４３、Ｓ５３、Ｓ７３）。この出画後の温度センサ１２の温度値をＭＰＵ１６のメモリに保持する（図３のステップＳ３４、Ｓ４４、Ｓ５４、Ｓ７４）。ステップＳ３４での温度値をＢとし、Ｓ４４での温度値をＥとし、Ｓ５４での温度値をＨとし、Ｓ７４での温度値をＫとする。
【００４７】
これらの測定処理後に、ＭＰＵ１６は、上述のようにして測定したファン停止時の温度値とファン回転時の温度値との差分を、各設置向き毎に算出し、それら各差分とこれに対応する予め記憶済みのしきい値Ｃ、Ｆ、Ｉ及びＬとを比較する（図４のステップＳ３５、Ｓ４５、Ｓ５５、Ｓ７５）。
この比較において、差分が対応するしきい値未満、すなわち、標準設置であれば差分Ａ−Ｂがしきい値Ｃより小さい［（Ａ−Ｂ）＜Ｃ］（図４のステップＳ３５のｎｏ）、縦置き設置であれば差分Ｄ−Ｅがしきい値Ｆより小さい［（Ｄ−Ｅ）＜Ｆ］（図３のＳ４５のｎｏ）、逆さ向き設置であれば差分Ｇ−Ｈがしきい値Ｉより小さい［（Ｇ−Ｈ）＜Ｉ］（Ｓ５５のｎｏ）、上向き設置であれば差分Ｊ−Ｋがしきい値Ｌより小さい［（Ｊ−Ｋ）＜Ｌ］（図４のＳ７５のｎｏ）ならば、ＭＰＵ１６は、ファンによる空冷効果が良くない、すなわち、装置周辺の通風環境が通風を妨げる閉鎖（閉塞）の傾向にあり、強制通風の効き目が悪く、ファンの回転制御、表示部の輝度制御及びスピーカの音量制御による温度制御の有効性が乏しいと判定し、空冷不可能というアラーム表示を表示部２６に行う（図４のステップＳ８）。
【００４８】
上述の許容されている設置向きにおいて、各差分が対応するしきい値以上であるならば（図４のステップＳ３５、Ｓ４５、Ｓ５５、Ｓ７５のｙｅｓ）、ＭＰＵ１６は、装置周辺の通風環境は十分に開放されており、ファンの回転制御、表示部の輝度制御による温度制御及びスピーカの音量制御を首尾良く行な得ると判定し、それぞれの設置向き対応の温度制御（図４のステップＳ３６、Ｓ４６、Ｓ５６、Ｓ７６）を次のようにして行う。
この温度制御は、設置向きが許容し得る設置向きのいずれであるかの判定結果と上記差分が対応するしきい値以上であるとの判定結果とに応じた吸気ファン及び排気ファンの回転数の最適制御をファン制御部１８を介して行い、この回転数制御に合わせて表示部２６の最適な輝度制御を輝度制御部２２を介して行う。これに加えて、スピーカの音量制御を、図示しない音量制御部を介して行う。
【００４９】
具体的には、上述の差分がしきい値を上回る程度が大きいとき、ファンの回転数を低く、輝度の低下及び音量の低下も少ないような制御を行い、上述の差分がしきい値を上回る程度が僅かであるとき、ファンの回転数を高く、輝度の低下及び音量の低下を大きくするような制御を行って装置筐体内の温度上昇を抑える。
【００５０】
このように、この実施例の構成によれば、装置が許容されている設置向きであるか否かを問わず、その設置状態での使用が許容されるか否かについて判断を提供することができ、装置の信頼性が向上する。また、２方向での傾きが許容範囲内であるときには、それらの傾きにおいて装置の温度上昇を防ぐようにファンの回転を制御し、表示部の輝度及びスピーカの音量を制御する際の、ファンの回転数増に伴う騒音、表示部の輝度低下及びスピーカの音量低下を最小限に抑えた最適な温度制御を行うことが可能になる。
【００５１】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、平面ディスプレイ装置の鉛直方向と直角な２方向の傾きを測定するのに、３軸の加速度センサ以外にこれと同等の傾きを測定し得る他の測定手段、例えば、２つの傾きセンサを用いてこの発明を実施してもよい。
この場合を含めて、装置に対して与えられる特定の方向に対する上記と同等の傾きをこの発明の実施に用いてもよい。
また、上述の各場合に同等の各傾きを平面ディスプレイ装置の設置時に任意の取得手段により得て、それらの傾きデータを制御手段又は記録媒体（カード等）に登録して置き、装置の稼動において、それらの傾きデータを上述した実施例での処理に用いるようにしてこの発明を実施することも可能である。
【００５２】
また、上記差分を得るのに、ファンの回転、表示部の表示状態、スピーカの音量を上述した以外の対応量に設定するようにし、これに対応してしきい値も設定変更するようにしてもよい。
また、実施例では、空気を前提としているが、その他の気体、流体においてもこの発明は実施可能である。
【産業上の利用可能性】
【００５３】
ここに開示している平面ディスプレイ装置及びその温度制御方法は、装置の傾きが前後左右に各種の態様で設置される電気装置において利用し得る。
【図面の簡単な説明】
【００５４】
【図１】図１は、この発明の実施例１である平面ディスプレイ装置の電気的構成を示す図である。
【図２】同平面ディスプレイ装置の発明関連構成要素の筐体内の配置図である。
【図３】同平面ディスプレイ装置の動作処理フローの一部を示す図である。
【図４】同平面ディスプレイ装置の動作処理フローの残部を示す図である。
【図５】同平面ディスプレイ装置の設置状態の特定に必要な角度関係を示す図である。
【図６】図６は、図５に示す角度関係におけるＸ軸の傾きを示す図である。
【図７】図５に示す角度関係におけるＺ軸の傾きを示す図である。
【図８】上記平面ディスプレイ装置の標準設置図である。
【図９】同平面ディスプレイ装置の縦置き設置図である。
【図１０】同平面ディスプレイ装置の逆さ向き設置図
【図１１】同平面ディスプレイ装置の上向き設置図である。
【符号の説明】
【００５５】
１２      温度センサ（温度測定手段）
１４      ３軸の加速度センサ（傾きデータ出力手段）
１６      ＭＰＵ（制御手段の一部）
１８      ファン制御部（制御手段の一部）
２０      テスト信号発生部（制御手段の一部）
２２      輝度制御部（制御手段の残部）
２４      ファン（排熱装置）
２６      表示部
【図１】
2008251738.tif 000003
【図２】
2008251738.tif 000004
【図３】
2008251738.tif 000005
【図４】
2008251738.tif 000006
【図５】
2008251738.tif 000007
【図６】
2008251738.tif 000008
【図７】
2008251738.tif 000009
【図８】
2008251738.tif 000010
【図９】
2008251738.tif 000011
【図１０】
2008251738.tif 000012
【図１１】
2008251738.tif 000013